(57)【特許請求の範囲】
【請求項１】
回転式図柄表示装置(31)を備え、該表示装置(31)における回転体(33)の外表面に、各種識別用の図柄を表示した遊技機であって、
前記回転体(33)の外表面に設けられ、各種図柄を表わす形状に形成した図柄用孔部(33a)を開口した第１有機エレクトロルミネセンス層(25)と、
前記図柄用孔部(33a)と対応して各種図柄を表わす形状に形成された図柄プレート(36)の外表面に設けられ、該図柄用孔部(33a)に嵌合される第２有機エレクトロルミネセンス層(26)とを備え、
前記図柄用孔部(33a)に前記図柄プレート(36)を嵌合させた第２有機エレクトロルミネセンス層(26)により、前記回転式図柄表示装置(31)に各種図柄を表示し、
前記回転体(33)の外表面に配設される第１有機エレクトロルミネセンス層(25)により、各種図柄の背景部(33b)を表示するよう構成した
ことを特徴とする遊技機。
【請求項２】
回転式図柄表示装置(31)を備え、該表示装置(31)における回転体(33)の外表面に、各種識別用の図柄を表示した遊技機であって、
前記回転体(33)の外表面に設けられ、矩形状の図柄用孔部(43)を開口した第１有機エレクトロルミネセンス層(25)と、
前記図柄用孔部(43)と対応して矩形状に形成された図柄プレート(46)の外表面に設けられ、該図柄用孔部(43)に嵌合される第２有機エレクトロルミネセンス層(26)とを備え、
前記図柄用孔部(43)に前記図柄プレート(46)を嵌合させた第２有機エレクトロルミネセンス層(26)により、前記回転式図柄表示装置(31)に各種図柄を表示し、
前記回転体(33)の外表面に配設される第１有機エレクトロルミネセンス層(25)により、各種図柄の背景部(33b)を表示するよう構成した
ことを特徴とする遊技機。
【請求項３】
回転式図柄表示装置(31)を備え、該表示装置(31)における回転体(33)の外表面に、各種識別用の図柄を表示した遊技機であって、
前記回転体(33)の外表面に設けられ、各種図柄を表わす形状に形成した図柄用孔部(33a)を夫々に開口した複数の第１有機エレクトロルミネセンス層(25)と、
前記図柄用孔部(33a)と対応して各種図柄を表わす形状に形成された図柄プレート(36)の外表面に設けられ、該図柄用孔部(33a)に嵌合される第２有機エレクトロルミネセンス層(26)とを備え、
前記図柄用孔部(33a)に前記図柄プレート(36)を嵌合させた第２有機エレクトロルミネセンス層(26)により、前記回転式図柄表示装置(31)に各種図柄を表示し、
前記回転体(33)の外表面に配設される複数の第１有機エレクトロルミネセンス層(25)により、各種図柄の背景部(33b)を表示するよう構成した
ことを特徴とする遊技機。
【発明の詳細な説明】
【０００１】
【発明の属する技術分野】
本発明は、各種図柄を表示する手段として回転式図柄表示装置を備えた遊技機に関し、更に詳細には、該回転式図柄表示装置における回転体の外表面に、エレクトロルミネセンス層を設けた遊技機に関するものである。
【０００２】
【従来の技術】
パチンコ機やスロットマシン機に代表される遊技機には、遊技中に発生する毎回の始動および停止を含む変動制御条件に基づいて図柄組合わせゲームを展開し、特別遊技状態に係る権利とされる図柄組合わせ条件を成立表示することのできる遊技装置として、「ドラム式」や「ベルト式」等の回転式図柄表示装置を備えたものがある。このような回転式図柄表示装置では、対象の遊技機によってサイズや変動制御条件等に差異があっても、その基本的な形態としては同じである。例えばドラム式図柄表示装置では、合成樹脂成形された平プーリ形の回転体としての図柄ドラム(ドラムの素地である回転体の外周に色彩区分された、例えば数字、アルファベット文字、その他の図形やマーク等の各種多様な識別用の図柄を配置したもの)と、該ドラムの回転駆動手段(一般にステッピングモータ)と、停止表示される各図柄用の位置決め検出手段等を含めて１基毎に図柄表示ユニット化される。そして、この図柄表示ユニットが、１つのドラムケース内に複数基(通常では左列、中列、右列の３基)を組単位として縦列セットされる。
【０００３】
前記ドラム式図柄表示装置のドラムケースには、夫々の図柄表示ユニットに係る所要の入出力制御をなし得る各種電子部品を実装した表示制御基板を備える表示制御装置が配設され、遊技中に発生した始動信号入力条件により、表示制御装置から発生される制御出力に基づいて、各列の図柄表示ユニットの図柄ドラムが設定時間条件で回転・停止されて、各図柄を遊技盤前面の入賞ライン上に表示するよう構成され、遊技者はこの入賞ライン上に表示される図柄を、透視窓から確認するようになっている。
【０００４】
【発明が解決しようとする課題】
前述したドラム式等の回転式図柄表示装置が配設された遊技機では、回転体(図柄ドラム等)の外表面に表示した図柄の識別性を向上させ、遊技者が図柄を正確に認識して遊技を行ない得るようにする必要がある。そこで、一般的に、前記回転式図柄表示装置の回転体の上方または下方に照明具(例えば蛍光灯等)を配設して、表示されている図柄に光を照射する手段や、回転体の内部空間にバックライト(発光ダイオードや電球等)を配設して、図柄の後方から光を照射する手段等により、図柄の識別性を向上させるようになっている。
【０００５】
しかし、前記回転体の上方に照明具を配設して光を照射する場合には、該回転体の下方に十分に光が照射されないため、回転体の下方に表示される図柄の識別性が劣る欠点が指摘される。同様に、前記照明具を回転体の下方に配設した場合には、回転体の上方に表示される図柄の識別性が劣ってしまう欠点がある。また、前記回転体の上方および下方の夫々に照明具を配設すれば、回転体の上方および下方に表示される図柄の識別性を確保し得るが、部材コストの上昇や電力消費量の増加等によりランニングコストの増大を招くと共に、照明具の設置スペースを確保する問題が生じる。更に、照明具から照射された光を回転体が反射して、遊技者の視線位置によっては却って図柄が見え難くなる畏れがある。そして、回転体に表示される図柄の背景を構成する背景部は、図柄を認識し易くするために白や黒等の単一色で構成されるため、光を照射した場合でも単に明るくなるだけであり、回転式図柄表示装置の意匠性や装飾性を向上させることにはならず、遊技の興趣に欠ける問題が指摘される。
【０００６】
また、前記回転体の内部にバックライトを配設して光を照射する場合には、透視窓から確認し得る図柄全体に光を照射できるので、回転体の上方や下方に表示される図柄を容易に識別し得るようになると共に、回転体からの反射光により図柄が見え難くなることもない利点がある。ところが、前記回転体内部にバックライトを配設する基板やその固定部材等が必要となるため、コストが増大する問題がある。また、回転体内部にスペース的に余裕のない回転式図柄表示装置にバックライトを配設することは困難であると共に、表示される各図柄に光を正確に照射する必要があるため、回転式図柄表示装置の細かい調整を行なうことになり、組付け作業が煩雑となる欠点が指摘される。そして、回転体内部にバックライトを配設すると、前記回転式図柄表示装置の重量の増加を招き、該装置の補強等の必要性を生じる。また、前述した回転体の上または下方に照明具を配設する場合と同様に、前記回転式図柄表示装置における回転体の外表面に表示される各種図柄は、種々の色彩等を付すことで識別性を高めるようになっているが、該回転体の背景部は、図柄の識別性を損なわないように単に白色や黒色等の色彩が付与されているのみの場合が多く、回転式図柄表示装置の意匠性や装飾性に欠けると共に、遊技の興趣に欠ける問題が指摘される。
【０００７】
前記回転体の内部空間に液晶表示を配設することで、図柄の背景部も多彩な色彩を表示し得るように構成された遊技機も提案されている(特開平１２−１１６８４３号公報参照)。しかし、前述のように、前記回転体内のスペース的な余裕は限られており、前記液晶表示装置の組付け作業が非常に煩雑になる畏れがある。また、前記回転体は円弧状に湾曲しているため、液晶表示装置をこの回転体の曲面と対応するように配設した場合には、その中心部分から上下に向かうに従って傾斜状態とされる。しかし、前記液晶表示装置は一般的に視野角が狭く、傾斜状態に配設された液晶表示装置に表示される図柄およびその背景部の視認性は、大きく低下する欠点がある。
【０００８】
【発明の目的】
本発明は、前述した従来の技術に内在する前記問題に鑑み、これを好適に解決するべく提案されたものであって、回転式図柄表示装置の回転体に表示される各種図柄の識別性を向上させると共に、図柄の背景部の意匠性や装飾性を向上させることで、遊技に対する興趣を増大させ得る遊技機を提供することを目的とする。
【０００９】
【課題を解決するための手段】
前記課題を克服し、所期の目的を達成するため、本願に係る遊技機は、
回転式図柄表示装置を備え、該表示装置における回転体の外表面に、各種識別用の図柄を表示した遊技機であって、
前記回転体の外表面に設けられ、各種図柄を表わす形状に形成した図柄用孔部を開口した第１有機エレクトロルミネセンス層と、
前記図柄用孔部と対応して各種図柄を表わす形状に形成された図柄プレートの外表面に設けられ、該図柄用孔部に嵌合される第２有機エレクトロルミネセンス層とを備え、
前記図柄用孔部に前記図柄プレートを嵌合させた第２有機エレクトロルミネセンス層により、前記回転式図柄表示装置に各種図柄を表示し、
前記回転体の外表面に配設される第１有機エレクトロルミネセンス層により、各種図柄の背景部を表示するよう構成したことを特徴とする。
前記課題を克服し、所期の目的を達成するため、本願の別の発明に係る遊技機は、
回転式図柄表示装置を備え、該表示装置における回転体の外表面に、各種識別用の図柄を表示した遊技機であって、
前記回転体の外表面に設けられ、矩形状の図柄用孔部を開口した第１有機エレクトロルミネセンス層と、
前記図柄用孔部と対応して矩形状に形成された図柄プレートの外表面に設けられ、該図柄用孔部に嵌合される第２有機エレクトロルミネセンス層とを備え、
前記図柄用孔部に前記図柄プレートを嵌合させた第２有機エレクトロルミネセンス層により、前記回転式図柄表示装置に各種図柄を表示し、
前記回転体の外表面に配設される第１有機エレクトロルミネセンス層により、各種図柄の背景部を表示するよう構成したことを特徴とする。
前記課題を克服し、所期の目的を達成するため、本願の更に別の発明に係る遊技機は、
回転式図柄表示装置を備え、該表示装置における回転体の外表面に、各種識別用の図柄を表示した遊技機であって、
前記回転体の外表面に設けられ、各種図柄を表わす形状に形成した図柄用孔部を夫々に開口した複数の第１有機エレクトロルミネセンス層と、
前記図柄用孔部と対応して各種図柄を表わす形状に形成された図柄プレートの外表面に設けられ、該図柄用孔部に嵌合される第２有機エレクトロルミネセンス層とを備え、
前記図柄用孔部に前記図柄プレートを嵌合させた第２有機エレクトロルミネセンス層により、前記回転式図柄表示装置に各種図柄を表示し、
前記回転体の外表面に配設される複数の第１有機エレクトロルミネセンス層により、各種図柄の背景部を表示するよう構成したことを特徴とする。
【００１０】
【作用】
本発明の遊技機は、回転式図柄表示装置の回転体に形成された第１有機エレクトロルミネセンス層の所要位置に開口される図柄用孔部に、各種図柄を表わす図柄プレートを嵌合させることで、該回転体に各種図柄を表示させると共に、該回転体に表示される図柄の背景部を、この第１有機エレクトロルミネセンス層が表示するようになっている。すなわち、前記回転体の外表面に配設される第１有機エレクトロルミネセンス層を発光させることで、図柄プレートに表わされた各種図柄が鮮明に表示され、識別性を飛躍的に向上させ得る。また、前記第１有機エレクトロルミネセンス層を種々の色で発光させることで、各図柄の背景部の意匠性や装飾性が飛躍的に向上し、遊技に対する興趣を増大することができる。また、第１有機エレクトロルミネセンス層は薄層で可撓性を有するので、回転体の湾曲面に追従させて容易に配設し得ると共に、第１有機エレクトロルミネセンス層が自発光することで広角から視認し得るようになるので、遊技者は傾斜して表示される図柄や図柄の背景部を確実に識別することが可能である。更に、図柄の識別性や図柄の背景部の意匠性や装飾性を向上させる際に、前記第１有機エレクトロルミネセンス層を回転体の外表面に設けるだけで良いので、コストの低減を図り得る。
図柄プレートを各種図柄を表わす形状に形成した場合には、各種図柄の識別性および回転式図柄表示装置の意匠性や装飾性を向上させることができる。また、回転体に設けた複数の第１有機エレクトロルミネセンス層の夫々を異なる色で発光させるようにすれば、回転式図柄表示装置のデザイン性や装飾性を一層向上させることができる。
【００１１】
【発明の実施の形態】
次に、本発明に係る遊技機について好適な実施例を挙げて、添付図面を参照しながら以下詳細に説明する。なお、本実施例では、遊技機として一般的なパチンコ機に実施される場合について説明する。
【００１２】
先ず、本実施例に係るパチンコ機の構成につき概略説明する。図１または図２に示すように、外枠Ａの開口前面側に対して前枠Ｂが、連結支持手段および施錠手段を利用して着脱および開放可能に組付けられている。そして前枠Ｂに、横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置(図示せず)と、下段に位置する下球皿Ｆおよび打球発射装置Ｈと、後側に位置する機構セット盤Ｇ等が夫々装備されている一方、前枠Ｂ後側の収容枠体の正面内部に所要の遊技領域Ｉを構成した遊技盤Ｊが着脱交換可能にセットされる。
【００１３】
前記遊技盤Ｊは、図３に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置された後述のドラム式図柄表示装置(回転式図柄表示装置)３１と、風車とも称されて遊技球用の流下方向を任意に変更する電飾案内車１２および普通案内車１３と、始動入賞具１１の直下方に設置された大型電動式の入賞装置Ｌと、遊技状態に応じて照射パターンが変更制御される電飾装置１４等を備えている。また遊技盤Ｊの後側には、図２に示すように、セーフ球を機構セット盤Ｇ側に通出案内させるセーフ球案内部材１５が装着されている。そして、このセーフ球案内部材１５には、該案内部材１５に開設した透視窓部(図示せず)の後側に合わせて前記ドラム式図柄表示装置３１が装備セットされる。なお、図３中の符号１６はアウト口を示す。
【００１４】
前記始動入賞具１１内に配設された図示しないスイッチは、各セーフ球の検出毎にドラム式図柄表示装置３１を１回ずつ作動スタートさせるための始動入力手段として利用される。また前記入賞装置Ｌは、ドラム式図柄表示装置３１の大当り成立時に対する特別遊技状態として、開成作動条件が付与される大型の入賞装置であって、図３に示されるように、特別入賞口１７に対設された扉状の開閉板１８が、後側の電磁ソレノイドに係る設定駆動条件に基づいて、通常の閉鎖状態から開放状態に変化されるよう構成される。そして、特別入賞口１７の後側内部にセーフ球用のカウントスイッチ等が組込まれている(何れも図示せず)。なお、入賞装置Ｌの左右両側に普通入賞口１９,１９が設けられる。
【００１５】
実施例に係るドラム式図柄表示装置３１の基本的な構成としては、図２に示すように、セーフ球案内部材１５の後面側に装着セットされる透視表示体２０と、この透視表示体２０の後面側に装着される収容箱体(図示せず)内に縦列収容セットされる複数基(図示３基)の図柄ドラム(回転体)３３,３３,３３と(図３参照)、収納箱体に対して後面側から装着されて透視表示体２０との間で該収容箱体を挟持する金属枠と、夫々の図柄ドラム３３に係る所要の入出力制御をし得る図柄表示制御装置Ｍとを備える。そして、パチンコゲーム中に発生した始動信号入力条件により、図柄表示制御装置Ｍから発生される制御出力に基づいて、前記図柄ドラム３３が回転・停止されて、各図柄を遊技盤Ｊの前面の入賞ライン(図示せず)上に表示し得るようになっている。
【００１６】
更に、図４に示すように、前記図柄ドラム３３の外表面には、所要の色(赤,青,緑,白等)を低電力かつ高輝度で自発光し得ると共に、視認性や消費電力等に優れた性質を有する有機エレクトロルミネセンス(以下有機ＥＬと云う)からなる第１有機ＥＬ層(第１有機エレクトロルミネセンス層)２５が形成されている。ここで有機ＥＬは、透明電極(陽極)、発光層(有機層)と金属電極(陰極)の積層構造を有し、この透明電極と金属電極の間に電圧を印可すると、陽極から注入された正孔(ホール)と陰極から注入された電子とが発光層内で再結合し、有機分子を励起して発光する性質のものである。なお、前記図柄ドラム３３の外表面に配設される前記第１有機ＥＬ層２５への電源供給は、従来公知の各種手段を採用し得る。
【００１７】
そして、前記図柄ドラム３３の外表面に形成される第１有機ＥＬ層２５の所要位置には、数字や文字、絵柄、その他識別可能な各種図柄を表わす形状の図柄用孔部３３ａが開口されており、該図柄用孔部３３ａと対応する形状に形成された図柄プレート３６を嵌合させることで、前記図柄ドラム３３に各種図柄を表示させるよう構成される。このとき、前記図柄ドラム３３に配設される第１有機ＥＬ層２５が、前記図柄プレート３６により表示される各種図柄の背景部３３ｂを表示するようになっている。なお、前記図柄プレート３６には、前記図柄ドラム３３の外表面に形成される第１有機ＥＬ層２５と異なる色を発光する有機ＥＬからなる第２有機ＥＬ層(第２有機エレクトロルミネセンス層)２６が形成される。
【００１８】
【実施例の作用】
次に、前述のように構成された本実施例に係るパチンコ機の作用について説明する。先ず、パチンコ球が遊技盤Ｊ上の遊技領域Ｉに打込まれ、始動入賞具１１等に入賞することで発生する始動信号入力条件により、表示制御装置Ｍから発生される制御出力に基づいて、ドラム式図柄表示装置３１の図柄ドラム３３が回転・停止される。ここで、図４に示すように、前記ドラム式図柄表示装置３１の図柄ドラム３３の外表面には第１有機ＥＬ層２５が形成されており、該第１有機ＥＬ２５の所要位置には、数字や文字、その他識別し得る各種図柄を表わす図柄用孔部３３ａが開口されていると共に、該図柄用孔部３３ａには対応する図柄プレート３６が嵌合されている。すなわち、前記図柄プレート３６の周囲に形成された前記第１有機ＥＬ層２５を発光させることで、該図柄プレート３６により形成されている各種図柄が鮮明に表示され、図柄の識別性が向上する。しかも、前記第１有機ＥＬ層２５は、前記図柄プレート３６の背景部３３ｂを構成しているので、この背景部３３ｂ自体が発光することで、前記ドラム式図柄表示装置３１の意匠性や装飾性が向上されて、遊技に対する興趣を増大し得る。
【００１９】
また、第２有機ＥＬ層２６を前記図柄プレート３６に形成することで、該図柄プレート３６自体の発光により、より一層各種図柄の識別性およびドラム式図柄表示装置３１の意匠性や装飾性を向上させることができる。ここで、前記第２有機ＥＬ層２６を第１有機ＥＬ層２５と異なる色で発光し得るようにすることで、各種図柄の識別性や装飾性がより向上される。
【００２０】
更に、前記第１または第２有機ＥＬ層２５,２６は、薄く軽量かつ可撓性を有するため、湾曲した前記図柄ドラム３３の外表面に容易に配設し得ると共に、該第１または第２有機ＥＬ層２５,２６を配設した際に、前記回転式図柄表示装置３１が重くなることはなく、該装置３１の設置コストを低減し得る。そして、前記図柄ドラム３３の外表面および図柄用孔部３３ａに、自発光する第１および第２有機ＥＬ層２５,２６を形成することで、図柄ドラム３３の上方または下方に照明具を配設したり、図柄ドラム３３内部にバックライト等を設置する必要がないため、前記ドラム式図柄表示装置３１の構造を簡略化し得ると共に、組付け作業等を容易化することができる。また、図柄ドラム３３に配設される第１および第２有機ＥＬ層２５,２６自体の発光により、遊技者の視線位置や遊技機の設置個所等に拘わらず図柄を識別し得ると共に、液晶表示装置等のように視野角に制限を受けないので、前記図柄ドラム３３の上方や下方のように図柄が傾斜表示される場合にも確実に各図柄を識別でき、遊技の興趣を増大させることが可能である。
【００２１】
また、前述した実施例では、図柄ドラム３３に形成される第１有機ＥＬ層２５に、各種図柄を表わす図柄用孔部３３ａを開口し、該図柄用孔部３３ａに各種図柄を表わす図柄プレート３６を嵌合させるようにしたが、種々の変更が可能である。例えば、前記第１有機ＥＬ層２５に開口する図柄用孔部３３ａは、所要形状とすることができるものであり、例えば図５(a)に示すように、図柄ドラム３３に形成される第１有機ＥＬ層２５に開口された矩形の図柄用孔部４３と対応する形状の図柄プレート４６を、該図柄用孔部４３に嵌合させるようにしても良い。この場合にも、前記第１有機ＥＬ層２５は、図柄プレート４６に表示される各種図柄の背景部３３ｂを構成しているので、前記ドラム式図柄表示装置３１の意匠性やデザイン性を向上させ得る。また、前述の実施例と同様に、軽量かつ可撓性を有する有機ＥＬ層を図柄ドラムに配設することで、設置コストの低減や組付け作業の容易化等、各種の効果を発揮し得る。なお、前記図柄プレート４６の表面に各種図柄を形成するように第２有機ＥＬ層２６を形成し、該第２有機ＥＬ層２６を発光表示させれば、表示される図柄の識別性も飛躍的に向上させることができる。
【００２２】
更に、前記図柄ドラム３３の外表面を複数の第１有機ＥＬ層２５で形成しても良く、図５(b)に示すように、夫々の第１有機ＥＬ層２５に１つの図柄用孔部３３ａを開口すると共に、第２有機ＥＬ層２６が形成され、図柄を発光表示し得る図柄プレート３６を対応する図柄用孔部３３ａに嵌合させることも可能である。このように、前記図柄ドラム３３の外表面を複数の第１有機ＥＬ層２５で形成する際に、各第１有機ＥＬ層２５の夫々を異なる色で発光させるようにすれば、前記ドラム式図柄表示装置３１のデザイン性や装飾性を一層向上させることができる。また、この場合においても前述の実施例等と同様に、軽量かつ可撓性を有する有機ＥＬ層を図柄ドラムに配設することで、設置コストの低減や組付け作業の容易化等、各種の効果を発揮し得る。
【００２４】
また、本実施例では、回転式図柄表示装置としてドラム式図柄表示装置を用いたが、回転体が回転することで図柄が移動表示されるベルト式やその他の形式の装置であれば何れのものでも良い。更に、パチンコ機に実施した場合について説明したが、回転体が回転することで各種図柄を変動表示させることができる回転式図柄表示装置を備える遊技機であれば、何れのものにも実施でき、例えばスロットマシン機等に好適に実施し得る。
【００２５】
【発明の効果】
以上説明した如く、本発明に係る遊技機によれば、回転式図柄表示装置における回転体の外表面に形成される第１有機エレクトロルミネセンス層に、所要形状の図柄用孔部を開口し、該図柄用孔部に図柄プレートを嵌合させるよう構成したので、この第１有機エレクトロルミネセンス層を所要の色で発光させ、図柄プレートで形成される各種図柄を鮮明に表示して、図柄の識別性を向上させることができる。また、前記回転体の外表面に形成される第１有機エレクトロルミネセンス層が各種図柄の背景部を構成しており、この第１有機エレクトロルミネセンス層を発光させることで、前記回転式図柄表示装置の装飾性やデザイン性が飛躍的に向上し、遊技の興趣を増大させることができる。更に、前記図柄用孔部に嵌合する図柄プレートに、第２有機エレクトロルミネセンス層を形成するようにすれば、表示される各種図柄自体が発光し、より一層図柄の識別性や回転式図柄表示装置の装飾性やデザイン性を向上させ、遊技の興趣を増大させ得る。
【００２６】
そして、前記回転体に第１有機エレクトロルミネセンス層を配設することで、別途光源を設ける必要がないので、省スペース化を図り得ると共にコストの増大を防止でき、更に回転式図柄表示装置の組付け時等の作業性を向上させ得る。また、前記第１有機エレクトロルミネセンス層は軽量かつ可撓性を有することから、前記回転体の円弧状に湾曲する外表面に追従して容易に配設することができる。更に、前記第１有機エレクトロルミネセンス層は自発光性で視野角が広い特徴を有し、回転体上部または下部等のように傾斜表示される図柄であっても、遊技者は図柄を正確に識別し得ると共に、外部から光を照射する必要性がないので反射光で図柄の識別性が低下する畏れもない。さらにまた、第１,第２有機エレクトロルミネセンス層の使用寿命は長いので、ランニングコストを低廉に抑えることができる。
図柄プレートを各種図柄を表わす形状に形成した場合には、該図柄の識別性および回転式図柄表示装置の意匠性や装飾性を向上させることができる。また、回転体の外表面に設けた複数の第１有機エレクトロルミネセンス層の夫々を異なる色で発光させるようにすれば、回転式図柄表示装置のデザイン性や装飾性を一層向上させることができる。
【図面の簡単な説明】
【図１】本発明の実施例に係るパチンコ機を示す正面図である。
【図２】本実施例に係るパチンコ機を示す背面図である。
【図３】本実施例に係るパチンコ機の遊技盤を示す拡大図である。
【図４】本実施例に係る図柄ドラムと図柄プレートとの関係を示す概略図である。
【図５】変更例に係る図柄ドラムと図柄プレートとの関係を示す概略図であり、(a)は図柄ドラムに矩形の図柄用孔部を開口させた場合を示し、(b)は図柄ドラムに複数の有機エレクトロルミネセンス層を形成した場合を示す。
【符号の説明】
２５  第１有機ＥＬ層(第１有機エレクトロルミネセンス層)
２６  第２有機ＥＬ層(第２有機エレクトロルミネセンス層)
３１  ドラム式図柄表示装置(回転式図柄表示装置)
３３  図柄ドラム(回転体)
３３ａ  図柄用孔部
３３ｂ  背景部
３６  図柄プレート
４３  図柄用孔部
４６  図柄プレート
【図１】
0004264921.tif 000002
【図２】
0004264921.tif 000003
【図３】
0004264921.tif 000004
【図４】
0004264921.tif 000005
【図５】
0004264921.tif 000006